(57)【要約】【課題】読み取り動作中の消費電力を低減する。【解決手段】画像読取装置は、例えば、原稿の画像を電気信号として出力する読取手段と、前記画像の１ライン毎の同期を確保するためのライン同期信号を出力するライン同期信号出力手段と、前記原稿の画像の有効領域を示す画像有効領域信号を出力する画像有効領域信号出力手段と、前記読取手段に供給するためのクロックを生成するクロック生成手段と、前記画像有効領域信号が示す前記原稿の画像の有効領域が終了したタイミングから前記ライン同期信号が示す次のラインの同期のタイミングまでの期間に適用される前記クロックの周波数を、前記画像の有効領域において適用される前記クロックの周波数よりも低減するように調整するクロック調整手段とを備える。【選択図】図１
2010130108.tif 000002
【特許請求の範囲】
【請求項１】
原稿の画像を電気信号として出力する読取手段と、
前記画像の１ライン毎の同期を確保するためのライン同期信号を出力するライン同期信号出力手段と、
前記原稿の画像の有効領域を示す画像有効領域信号を出力する画像有効領域信号出力手段と、
前記読取手段に供給するためのクロックを生成するクロック生成手段と、
前記画像有効領域信号が示す前記原稿の画像の有効領域が終了したタイミングから前記ライン同期信号が示す次のラインの同期のタイミングまでの期間に適用される前記クロックの周波数を、前記画像の有効領域において適用される前記クロックの周波数よりも低減するように調整するクロック調整手段と
を備えたことを特徴とする画像読取装置。
【請求項２】
前記クロック調整手段は、
前記画像有効領域信号が示す前記原稿の画像の有効領域が終了したタイミングから前記ライン同期信号が示す次のラインの同期のタイミングまでの期間と、前記画像有効領域信号が示す前記原稿の画像の有効領域が終了したタイミングから前記読取手段のセンサ有効領域が終了したタイミングまでの時間とに基づいて、該期間に適用される前記クロックの周波数を決定するクロック周波数決定手段を備えることを特徴とする請求項１記載の画像読取装置。
【請求項３】
前記クロック周波数決定手段は、
前記画像有効領域信号が示す前記原稿の画像の有効領域が終了したタイミングから前記読取手段のセンサ有効領域が終了したタイミングまでの時間を、前記クロック生成手段が生成する原クロックの周期によって除算し、さらに、前記画像有効領域信号が示す前記原稿の画像の有効領域が終了したタイミングから前記ライン同期信号が示す次のラインの同期のタイミングまでの期間で除算することで、該期間に適用される前記クロックの周波数を算出する算出手段を備えることを特徴とする請求項２に記載の画像読取装置。
【請求項４】
前記原稿の画像の有効領域を指定する指定手段をさらに備え、
前記クロック調整手段は、前記指定手段により指定された有効領域に応じて前記クロックの周波数を調整することを特徴とする請求項１ないし３のいずれか１項に記載の画像読取装置。
【請求項５】
前記読取手段の画像読取速度を設定する設定手段をさらに備え、
前記クロック調整手段は、前記設定手段により設定された画像読取速度に応じて前記クロックの周波数を調整することを特徴とする請求項１ないし４のいずれか１項に記載の画像読取装置。
【請求項６】
原稿の画像を電気信号として出力する読取手段を備えた画像読取装置の制御方法であって、
前記読取手段に供給するためのクロックを生成するステップと、
前記原稿の画像の有効領域を示す画像有効領域信号を出力するステップと、
前記画像の１ライン毎の同期を確保するためのライン同期信号を出力するステップと、
前記画像有効領域信号が示す前記原稿の画像の有効領域が終了したタイミングから前記ライン同期信号が示す次のラインの同期のタイミングまでの期間に適用される前記クロックの周波数を、前記画像の有効領域において適用される前記クロックの周波数よりも低減するように調整するステップと、
を含むことを特徴とする画像読取装置の制御方法。
【発明の詳細な説明】
【技術分野】
【０００１】
本発明は、一般に、画像読取装置に係り、とりわけ、画像読取装置の省電力技術に関する。
【背景技術】
【０００２】
画像読取装置においても消費電力を低減することが望ましい。特許文献１によれば、原稿の読み取りが可能な状態で待機する待機状態のときに、撮像手段へのクロック信号を停止することで、消費電力を低減することが提案されている。
【０００３】
特許文献２によれば、読み取り待機時に接続ケーブルを介して送出する第１の駆動信号周波数と、原稿画像情報の読み取り動作中に接続ケーブルを介して送出する第２の駆動周波数とを制御手段が切り替えて送出することで、装置の立ち上り時間が必要なく、待機動作中の消費電力を抑える画像読取装置が提案されている。
【０００４】
特許文献３によれば、複数の消費電力モードのいずれかに従って消費電力を制御する消費電力制御装置において、外部からの信号入力または予め設定されたタイミングを起点にして所定の経過時間を計測する計時手段と、経過時間が経過した時点から所定の時間、別の消費電力モードに切り替える電力モード切り替え手段と、切り替えられた消費電力モードに従って動作周波数を切り替える動作周波数切り替え手段を備え、ＣＰＵなど制御素子の動作速度切り替えをきめ細かく行い、省電力制御を行うことが提案されている。
【特許文献１】国際公開ＷＯ０２／０１９６９３号公報
【特許文献２】特開２００４−７２６０２号公報
【特許文献３】特開２００４−２４２２１７号公報
【発明の開示】
【発明が解決しようとする課題】
【０００５】
特許文献１によれば、原稿の読み取りが可能な状態で待機する待機状態における消費電力を低減することが提案されているにすぎず、読み取り動作中の消費電力を低減することが考慮されていない。特許文献２にも同様に待機動作中の消費電力を抑えることが記載されているにすぎず、読み取り動作中の消費電力を低減することが考慮されていない。さらに、特許文献３によれば、消費電力モードごと動作周波数を切り替えるようにしているが、読み取り動作中における消費電力をどのように低減するかについて具体的に提案されていない。
【０００６】
なお、特許文献１のように、１ラインを読み取るごとにクロックを停止してしまうと様々な弊害も発生する。一般に、画像読取装置には、ノイズを抑圧するためのＣＤＳ（相関二重サンプリング）回路等が搭載される。このような回路を安定して動作させるためには、常にクロックを供給し、容量性素子が放電しきってしまわないようにする必要がある。このため、画像読取装置は、画像読取の初期において先頭の数ライン分のデータを無効として破棄し、ＣＤＳ回路等が安定し正常な画像を出力できるようになってから有効画像として出力するようにしている。よって、ラインごとにクロックを停止してしまうと、正常な画像を出力できなくなる可能性がある。
【０００７】
そこで、本発明は、このような課題および他の課題のうち、少なくとも１つを解決することを目的とする。例えば、本発明は、読み取り動作中の消費電力を低減することを目的とする。なお、他の課題については明細書の全体を通して理解できよう。
【課題を解決するための手段】
【０００８】
本発明の画像読取装置は、例えば、原稿の画像を電気信号として出力する読取手段と、前記画像の１ライン毎の同期を確保するためのライン同期信号を出力するライン同期信号出力手段と、前記原稿の画像の有効領域を示す画像有効領域信号を出力する画像有効領域信号出力手段と、前記読取手段に供給するためのクロックを生成するクロック生成手段と、前記画像有効領域信号が示す前記原稿の画像の有効領域が終了したタイミングから前記ライン同期信号が示す次のラインの同期のタイミングまでの期間に適用される前記クロックの周波数を、前記画像の有効領域において適用される前記クロックの周波数よりも低減するように調整するクロック調整手段とを備えたことを特徴とする。
【発明の効果】
【０００９】
本発明によれば、読み取り動作中の消費電力を低減することができる。
【発明を実施するための最良の形態】
【００１０】
以下に本発明の一実施形態を示す。以下で説明される個別の実施形態は、本発明の上位概念、中位概念および下位概念など種々の概念を理解するために役立つであろう。また、本発明の技術的範囲は、特許請求の範囲によって確定されるのであって、以下の個別の実施形態によって限定されるわけではない。
【００１１】
［実施形態１］
図１は、実施形態に係る画像読取装置を示したブロック図である。画像読取装置１００は、イメージリーダやイメージスキャナと呼ばれることもある。また、画像読取装置１００は、単体で製品化されることもあれば、ファクシミリ、複写機、複合機などの画像形成装置の一部として製品化されることもある。
【００１２】
ＣＰＵ１は、画像読取装置の全体を統括的に制御するユニットである。ＲＡＭ２は、ＣＰＵ１のワークメモリとして機能する記憶ユニットである。ＲＯＭ３は、ＣＰＵ１のコンピュータプログラムや必要なデータを記憶するための記憶ユニットである。ＡＳＩＣ４は、画像読取処理に関する回路を集積した制御回路ユニットである。読取センサ５は、画像読取手段としての光学センサである。読取センサ５は、ＣＩＳ（密着センサー）方式やＣＣＤ（電荷結合素子）方式などのラインセンサなどである。読取センサ５は、原稿の画像を電気信号として出力する読取手段の一例である。
【００１３】
ＡＤ変換器６は、読取センサ５から出力されたアナログの画像信号をデジタルの画像信号に変換するユニットである。画像出力部７は、ＡＳＩＣ４から出力された画像信号をＰＣ（パーソナルコンピュータ）などに出力するためのインタフェースである。画像出力部７は、例えば、ＵＳＢインタフェース、ＳＣＳＩインタフェース、ＬＡＮインタフェースなどである。
【００１４】
ＡＳＩＣ４は、次のような機能部を備えている。ＰＡＧＥ信号出力部１０は、画像読取時の副走査方向の有効期間を示すＰＡＧＥ信号を出力する。副走査方向は、一般に、原稿に対して読取センサ５が移動する方向である。なお、副走査方向に直交するラインセンサの走査方向が、いわゆる主走査方向である。
【００１５】
ＨＳＹＮＣ信号出力部１１は、画像読取時の主走査方向の同期タイミングを示すＨＳＹＮＣ信号を出力する。一般に、原稿の画像を１ラインごとに読み取る画像読取装置では、ＨＳＹＮＣ信号は１ラインごとに出力される。
【００１６】
ＳＰ信号出力部１２は、読取開始を示すためのＳＰ信号を読取センサ５に出力する。ＳＰ信号は、ＨＳＹＮＣ信号の立ち下りが検出されると、１クロック後に、立ち下がり、半クロック後に再び立ち上がる。このように、ＳＰ信号は、ＨＳＹＮＣ信号に同期している。よって、ＳＰ信号出力部１２は、画像の１ライン毎の同期を確保するためのライン同期信号を出力するライン同期信号出力手段の一例である。
【００１７】
可変クロック生成部１３は、読取センサ５を動作させるためのクロック信号Ｃ＿ＣＬＫを生成して読取センサ５に出力する。ＬＥＤ信号出力部１４は、読取センサ５の光原であるＬＥＤを点灯するためのＬＥＤ信号を生成して出力する。
【００１８】
ＡＤＣＬＫ信号出力部１６は、ＡＤ変換器６のサンプリングタイミングを示すＡＤＣＬＫ信号をＡＤ変換器６に出力する。ＭＣＬＫ信号出力部１７は、画像データの出力タイミングの基準となるクロック信号であるＭＣＬＫ信号をＡＤ変換器６とデータ取込部１９とに出力する。
【００１９】
ＨＡＶＡ信号出力部１８は、主走査方向の画像の有効幅を示すＨＡＶＡ信号をデータ取込部１９に出力する。ＨＡＶＡ信号出力部１８は、原稿の画像の有効領域を示す画像有効領域信号を出力する画像有効領域信号出力手段の一例である。
【００２０】
データ取込部１９は、ＭＣＬＫ信号とＨＡＶＡ信号とに応じてＡＤ変換器６からのデジタルデータを取込む。画像処理部２０は、取込んだ画像に対して各種の画像処理（例：γ補正など）を実行する。レジスタ部２１は、ＣＰＵ１から設定された各種のパラメータを保持している。
【００２１】
操作パネル８は、表示装置と入力装置を備え、例えば、原稿のサイズなどの情報を入力するために使用される。よって、操作パネル８は、原稿の画像の有効領域を指定する指定手段の一例である。
【００２２】
図２は、各種の信号と画像の有効領域との関係を示した図である。画像の有効領域のうち主走査方向のサイズは、ＨＡＶＡ信号の立ち下がりから立ち上りまでの期間ＴＨとして示される。また、画像の有効領域のうち副走査方向のサイズは、ＰＡＧＥ信号の立ち下がりから立ち上りまでの期間ＴＶとして示される。
【００２３】
図３は、実施形態に係る可変クロック生成部１３を示すブロック図である。図４は、実施形態に係る画像読取処理の例示的なタイミングチャートである。
【００２４】
レジスタ３０は、ＳＰ間隔であるＴ０の値を保持している。レジスタ３１は、ＳＰ信号の立ち下りからＨＡＶＡ信号の立ち下りまでの時間ＨＡＶＡ２であるＴ２を保持している。レジスタ３２は、ＨＡＶＡ信号の有効幅ＨＡＶＡ３であるＴ３を保持している。レジスタ３３は、読取センサ５の有効部の読取にかかる時間（センサ有効幅）であるＴ１を保持している。これらのレジスタは、レジスタ部２１に含まれている。また、各値は、ＣＰＵ１によって設定されるものとする。センサ有効幅には、正常な動作を保つために読み取り動作を行うことが必要なダミー領域を有する場合は、それにかかる期間も含まれるものとする。
【００２５】
クロック周波数算出部３４は、レジスタ部２１から供給されたパラメータに応じて分周比を算出してクロック分周器３５に設定する。クロック分周器３５は、原クロック部３６が発信する原クロック信号Ｃ＿ＣＬＫ０（周期Ｔａ）を、設定された分周比に応じて分周し、分周後のクロック信号Ｃ＿ＣＬＫを読取センサ５に出力する。原クロック部３６は、読取手段に供給するためのクロックを生成するクロック生成手段の一例である。
【００２６】
図４によれば、ＳＰ信号の立ち下がりから次の立ち下りまでの期間をＳＰ間隔と呼び、Ｔ０で示している。センサ有効幅信号の立ち下がりから立ち上りまでをセンサ有効幅と呼び、Ｔ１で示している。ＳＰ信号の立ち下がりからＨＡＶＡ信号の立ち下がりまでの期間をＨＡＶＡ２と呼び、Ｔ２で示している。ＨＡＶＡ信号の立ち下がりか立ち上りまでの期間をＨＡＶＡと呼び、Ｔ３で示している。なお、Ｔ３は、図２おけるＴＨと同一である。
【００２７】
Ｔ４は、ＨＡＶＡ信号（画像有効領域信号）が示す原稿の画像の有効領域が終了したタイミングから読取センサ５のセンサ有効領域が終了したタイミングまでの時間を示している。Ｔ５は、読取センサ５の無効領域に相当する期間を示している。Ｔ６は、画像有効領域信号が示す原稿の画像の有効領域が終了したタイミングからライン同期信号が示す次のラインの同期のタイミングまでの期間を示している。
【００２８】
クロック周波数算出部３４は、これらのパラメータを用いて、期間Ｔ６に適用されるクロックの周波数を、画像の有効領域において適用されるクロックの周波数よりも低減するように調整する。例えば、クロック周波数算出部３４は、期間Ｔ６の長さと、期間Ｔ４の長さと、原クロック信号Ｃ＿ＣＬＫ０の周期Ｔａとから、期間Ｔ６に適用されるクロックの周波数を決定する。このように、クロック周波数算出部３４は、画像有効領域信号が示す原稿の画像の有効領域が終了したタイミングからライン同期信号が示す次のラインの同期のタイミングまでの期間に適用されるクロックの周波数を、画像の有効領域において適用されるクロックの周波数よりも低減するように調整するクロック調整手段の一例である。また、クロック周波数算出部３４は、画像有効領域信号が示す原稿の画像の有効領域が終了したタイミングからライン同期信号が示す次のラインの同期のタイミングまでの期間と、画像有効領域信号が示す原稿の画像の有効領域が終了したタイミングから読取手段のセンサ有効領域が終了したタイミングまでの時間と、クロック生成手段が生成する原クロックの周期とに基づいて、期間に適用されるクロックの周波数を決定するクロック周波数決定手段の一例である。
【００２９】
ＨＡＶＡ信号の立ち上りから次のＳＰ信号の立ち下りまでの期間Ｔ６の長さは次式により算出できる。
【００３０】
Ｔ６＝Ｔ０−（Ｔ２＋Ｔ３）
ＨＡＶＡ信号の立ち上りからセンサ有効幅の終了までの期間Ｔ４は次式により算出できる。
【００３１】
Ｔ４＝Ｔ１−（Ｔ２＋Ｔ３）
ＨＡＶＡ信号の立ち上りからセンサ有効幅終了までのクロック数ＣＮＴ１は次式により算出できる。
【００３２】
ＣＮＴ１＝Ｔ４／Ｔａ
よって、下限値として必要なクロック周波数ｆは次式によって算出できる。
【００３３】
ｆ  ＝  ＣＮＴ１／Ｔ６  ［Ｈｚ］。
【００３４】
図４から明らかなように、調整後のクロック信号Ｃ＿ＣＬＫの周波数ｆは、原クロック信号Ｃ＿ＣＬＫ０の周波数ｆ０よりも低い周波数である。それゆえ、期間Ｔ６では、クロックを停止することなく、省電力化を達成できる。またこうすることで、読取センサ５がセンサ有効幅内の読取情報の出力を完了するまで、読取センサ５に必要なクロックを供給することができるので、読取センサ５の動作を阻害することはない。このように、クロック周波数算出部３４は、画像有効領域信号が示す原稿の画像の有効領域が終了したタイミングから読取手段のセンサ有効領域が終了したタイミングまでの時間を、クロック生成手段が生成する原クロックの周期によって除算し、さらに、画像有効領域信号が示す原稿の画像の有効領域が終了したタイミングからライン同期信号が示す次のラインの同期のタイミングまでの期間で除算することで、期間Ｔ６に適用される周波数を低減したクロックの周波数（下限値）を算出する算出手段の一例である。
【００３５】
図５は、必要なクロック周波数に対応して設定すべき分周比を得るためのテーブルを示した図である。クロック周波数算出部３４は、必要なクロック周波数ｆの値に応じて、テーブルから分周比を決定し、クロック分周器３５に設定する。このテーブルは、例えばＲ１の分周比を使用すると必要なクロック周波数の目標値のＭＡＸ値ｆ２のクロック信号が得られるように予め設定しておくものとする。なお、このテーブルは、ＲＯＭ３に格納されている。クロック周波数算出部３４は、必要なクロック周波数（下限値）ｆの値をＣＰＵ１に送出し、対応する分周比を問い合せて取得するものとする。
【００３６】
クロック周波数算出部３４がクロック分周器３５に分周比を設定するタイミングは、レジスタ設定値から求めることができる。例えば、期間Ｔ２とＴ３において、クロック周波数算出部３４は、定常の読取速度となる周波数のクロックを出力可能な分周比を出力する。期間Ｔ２とＴ３が経過した後（すなわち、期間Ｔ６に入ると）、クロック周波数算出部３４は、決定した分周比をクロック分周器３５に設定する。
【００３７】
以上説明したように、本実施形態によれば、画像読取装置１００の読み取り動作中のうち、期間Ｔ６においてクロック周波数を低減している。とりわけ、従来であれば、期間Ｔ５においては定常クロックで動作させていたため、無駄に電力を必要としていた。しかし、本実施形態によれば、期間Ｔ５においては必要なクロックだけを読取センサ５に与えることができる。よって、本実施形態では、読取動作中においても消費電力を低減できる。なお、クロックを停止させることはないため、ノイズ低減回路の動作が停止すること等による画質の低下も抑制できる。
【００３８】
例えば、クロック周波数算出部３４は、期間Ｔ６と、期間Ｔ４と、原クロック信号Ｃ＿ＣＬＫ０の周期Ｔａとから、期間Ｔ６に適用されるクロックの周波数（下限値）ｆを決定することで、読取センサ５の動作周波数を下限値に近い好適なものとすることできる。例えば、電磁輻射ノイズ（ＥＭＩ）の影響も削減できよう。また、読取センサ５が通常よりも低いクロック周波数で動作することで、発熱が減り、電荷結合素子の暗電流も減り、画質も改善されよう。
【００３９】
なお、実施形態１では、可変クロック生成部１３として、クロック分周器３５を設けて原クロックを分周する方法を説明したが、クロック分周器３５の代わりに、原クロックを間引きするようにロジックを組んでもよい。また、クロック周波数算出部３４とクロック分周器３５とで行った低い周波数のクロックのを生成するを、目標とする周波数のクロックを生成可能なＰＬＬ周波数シンセサイザなどの周波数可変発振器に置き換えてもよい。
【００４０】
［実施形態２］
実施形態１の変形例である本実施形態の画像読取装置では、画像有効領域は、オペレータが原稿サイズを指定することで変更可能とする。とりわけ、読取センサ５のセンサ有効幅よりも狭い原稿サイズであれば自由に指定可能とする。そこで、本実施形態では、センサ有効幅よりも狭い原稿サイズをオペレータが指定したときの画像読取動作について説明する。
【００４１】
図６は、実施形態２に係る画像読取処理の例示的なタイミングチャートである。既に説明した箇所には同一の参照符号を付与することで説明を簡潔にする。
【００４２】
操作パネル８を通じてオペレータによる原稿サイズの指定が行われると、ＣＰＵ１は、原稿のサイズに応じてＨＡＶＡ３の値を初期値のＴ３からＴ３’に変更し、レジスタ３２にＴ３’を格納する。ＨＡＶＡ信号出力部１８は、ＣＰＵ１により指定された原稿の画像の有効領域に応じたＨＡＶＡ信号を出力する。
【００４３】
なお、期間Ｔ０、Ｔ１、Ｔ２、Ｔ５は、原稿のサイズに依存しないパラメータであるが、期間Ｔ４は依存して変更され、Ｔ４’となる。同様に、期間Ｔ６もＴ６’に変更される。
【００４４】
主走査方向における原稿のサイズが小さくなれば、期間Ｔ４’は、期間Ｔ４よりも長くなる。よって、ＨＡＶＡ信号の立ち上り後において読取センサ５に与える必要のあるクロック数ＣＮＴ２は多くなる。
【００４５】
クロック周波数算出部３４は、ＨＡＶＡ信号立ち上りから次のＳＰ信号立ち下りまでの期間Ｔ６’を次式により算出する。
【００４６】
Ｔ６’＝Ｔ０−（Ｔ２＋Ｔ３’）
クロック周波数算出部３４は、ＨＡＶＡ信号の立ち上りからセンサ有効幅終了までの期間Ｔ４’を次式により算出する。
【００４７】
Ｔ４’＝Ｔ１−（Ｔ２＋Ｔ３’）
クロック周波数算出部３４は、ＨＡＶＡ信号の立ち上りからセンサ有効幅終了までのクロック数ＣＮＴ２を次式により算出する。
【００４８】
ＣＮＴ２＝Ｔ４’／Ｔａ
最終的に、クロック周波数算出部３４は、必要なクロック周波数の下限値ｆを次式により算出する。
【００４９】
ｆ  ＝  ＣＮＴ２／Ｔ６’  ［Ｈｚ］
なお、必要なクロック周波数（下限値）ｆから実施形態１と同様にテーブルを用いて分周比を決定してもよい。
【００５０】
以上説明したように、本実施形態によれば、オペレータによって指定された主走査方向における原稿のサイズに応じて、クロックの周波数を調整する。よって、実施形態１と同様の効果に加え、原稿のサイズに応じて好適なクロック周波数で読取センサ５を動作させることができる。すなわち、原稿の大小にかかわらず読取サイズを固定する場合と比較し、原稿サイズを指定できれば、読取動作中における省電力効果を増大させることが可能となる。
【００５１】
［実施形態３］
実施形態１の変形例である本実施形態の画像読取装置１００においては、オペレータが操作パネル８を通じて画像読取速度を変更することができるようになっている。例えば、読取速度を低速にすると、ＳＰ間隔が広くなる。ＳＰ間隔が広くなれば、読取動作中にクロックを低減する期間Ｔ６の長さも長くする必要がある。そこで、実施形態３では、画像読取速度が変更されるときの画像読取動作について説明する。
【００５２】
図７は、実施形態３に係る画像読取処理の例示的なタイミングチャートである。既に説明した箇所には同一の参照符号を付与することで説明を簡潔にする。
【００５３】
操作パネル８を通じてオペレータによって画像読取速度が指定されると、ＣＰＵ１は、指定された画像読取速度をＡＳＩＣ４に設定する。よって、ＣＰＵ１は、読取手段の画像読取速度を設定する設定手段の一例である。ＨＳＹＮＣ信号出力部１１は、設定された画像読取速度に応じてＨＳＹＮＣ間隔を変更し、ＨＳＹＮＣ信号を出力する。よって、ＳＰ信号出力部１２は、設定された画像読取速度に応じてＳＰ間隔を変更し、ＳＰ信号を出力する。よって、期間Ｔ０は、Ｔ０”に変更される。
【００５４】
なお、期間Ｔ１、Ｔ２、Ｔ３、Ｔ４は、画像読取速度に依存しないパラメータであるが、期間Ｔ５は依存して変更され、Ｔ５”となる。同様に、期間Ｔ６もＴ６”に変更される。
【００５５】
図７によれば、期間Ｔ５”は、期間Ｔ５よりもＴ７（Ｔ７＝Ｔ０”−Ｔ０）だけ長くなる。ＨＡＶＡ信号の立ち上り後において、読取センサ５に与える必要のあるクロック数ＣＮＴ３はＣＮＴ１と同じである。
【００５６】
クロック周波数算出部３４は、ＨＡＶＡ信号の立ち上りから次のＳＰ信号立ち下りまでの期間Ｔ６”を次式により算出する。
【００５７】
Ｔ６”＝Ｔ０”−（Ｔ２＋Ｔ３）
なお、期間Ｔ４とクロック数は実施形態１と同じである（ＣＮＴ３＝ＣＮＴ１）。よって、必要なクロック周波数（下限値）ｆは次式の通りである。
【００５８】
ｆ  ＝  ＣＮＴ３／Ｔ６”  ［Ｈｚ］
なお、分周比は、下限値ｆから実施形態１と同様にテーブルを用いて決定されてもよい。
【００５９】
以上説明したように、本実施形態によれば、設定された画像読取速度に応じてクロックの周波数を調整する。よって、実施形態１と同様の効果に加え、画像読取速度に応じて好適なクロック周波数で読取センサ５を動作させることができる。すなわち、画像読取速度に応じてクロック周波数を調整すれば、読取動作中における省電力効果を増大させることが可能となる。
【００６０】
［他の実施形態］
実施形態２と実施形態３とを組み合わせてもよいことは明らかである。すなわち、原稿のサイズが指定されるとともに、画像読取速度が変更されたとしても、本発明を好適に適用することができる。この場合は、次式にしたがってクロックの周波数が決定される。
【００６１】
Ｔ６ａ＝Ｔ０”−（Ｔ２＋Ｔ３’）
Ｔ４ａ＝Ｔ１−（Ｔ２＋Ｔ３’）
ＣＮＴａ＝Ｔ４ａ／Ｔａ
ｆ＝ＣＮＴａ／Ｔ６ａ
よって、原稿のサイズと画像読取速度とが変更可能な画像読取装置においても、読取動作中における消費電力を低減することが可能となる。なお、Ｔ６ａはＴ６に対応し、Ｔ４ａはＴ４に対応する。以上の各実施形態においてクロックを低減させる部分のクロック周波数は、上述の計算値（下限値ｆ）よりもやや高めに設定することが好適である。これは、ノイズの劣化を防止しつつ消費電力の低減するためである。テーブルを用いて分周比を決定する場合に、下限値ｆよりもやや高めに設定してもよく本発明に含まれる。また、テーブル以外の方法で実際の周波数を決定する場合でも、下限値ｆよりやや高めに設定してもよく本発明に含まれる。
【図面の簡単な説明】
【００６２】
【図１】実施形態に係る画像読取装置を示したブロック図である。
【図２】各種の信号と画像の有効領域との関係を示した図である。
【図３】実施形態に係る可変クロック生成部１３を示すブロック図である。
【図４】実施形態１に係る画像読取処理の例示的なタイミングチャートである。
【図５】必要なクロック周波数に対応して設定すべき分周比を得るためのテーブルを示した図である。
【図６】実施形態２に係る画像読取処理の例示的なタイミングチャートである。
【図７】実施形態３に係る画像読取処理の例示的なタイミングチャートである。
【符号の説明】
【００６３】
１  ＣＰＵ
２  ＲＡＭ
３  ＲＯＭ
４  ＡＳＩＣ
５  読取センサ
６  ＡＤ変換器
７  画像出力部
８  操作パネル
１２  ＳＰ信号出力部
１３  可変クロック生成部
１８  ＨＡＶＡ信号出力部
３４  クロック周波数算出部
３５  クロック分周器
【図１】
2010130108.tif 000003
【図２】
2010130108.tif 000004
【図３】
2010130108.tif 000005
【図４】
2010130108.tif 000006
【図５】
2010130108.tif 000007
【図６】
2010130108.tif 000008
【図７】
2010130108.tif 000009